(57)【要約】【課題】  刷り重ねて得られる色を下側となるインクに応じて上側となるインクの色特性の値を調整して求めることにより、精度よく色の推定を行うことができる色推定方法、その推定方法により推定した色を再現するための色調整方法、及び、その色調整方法を適用したカラー画像形成装置を提供することにある。【解決手段】  分光濃度ＳＤ１（λ）を第２の色材についての透明度を示す数値で調整した値と、分光濃度ＳＤ２（λ）を第１の色材についての他の色材が上に乗る状態を示す数値で調整した値と、分光濃度ＳＤＷ１（λ）とを用いて演算し、その結果を記録媒体上の第１の色材の上に第２の色材を刷り重ねて印刷して得られる色の分光濃度ＳＤＭ１２（λ）として推定する推定段階を含む。【選択図】      図６
2005294976.tif 000002
【特許請求の範囲】
【請求項１】
記録媒体上に顔料を含む第１の色材を印刷し、その上に顔料を含む第２の色材を刷り重ねて印刷して得られる色を推定する色推定方法であって、
前記記録媒体上における前記第１の色材の光の各波長λに対する分光濃度ＳＤ１（λ）を測定する段階と、
前記記録媒体上における前記第２の色材の光の各波長λに対する分光濃度ＳＤ２（λ）を測定する段階と、
前記記録媒体の光の各波長λに対する分光濃度ＳＤＷ１（λ）を測定する段階と、
前記分光濃度ＳＤ１（λ）を前記第２の色材についての透明度を示す数値で調整した値と、前記分光濃度ＳＤ２（λ）を前記第１の色材についての他の色材が上に乗る状態を示す数値で調整した値と、前記分光濃度ＳＤＷ１（λ）とを用いて演算し、その結果を前記記録媒体上の前記第１の色材の上に前記第２の色材を刷り重ねて印刷して得られる色の分光濃度ＳＤＭ１２（λ）として推定する推定段階とを含むことを特徴とする色推定方法。
【請求項２】
前記推定段階は、更に、前記演算結果と前記分光濃度ＳＤ１（λ）と前記分光濃度ＳＤ２（λ）との積に比例する値とを用いて演算して分光濃度ＳＤＭ１２（λ）を推定する請求項１に記載の色推定方法。
【請求項３】
前記推定段階は、前記分光濃度ＳＤ１（λ）と前記分光濃度ＳＤＷ１（λ）との差分を前記第２の色材についての透明度を示す数値で調整した値と、前記分光濃度ＳＤ２（λ）と前記分光濃度ＳＤＷ１（λ）との差分を前記第１の色材についての色材が上に乗る状態を示す数値で調整した値と、前記分光濃度ＳＤＷ１（λ）とを加算し、その結果を前記記録媒体上の前記第１の色材の上に前記第２の色材を刷り重ねて印刷して得られる色の分光濃度ＳＤＭ１２（λ）として推定する請求項１に記載の色推定方法。
【請求項４】
前記推定段階は、更に、前記加算結果から前記分光濃度ＳＤ１（λ）と前記分光濃度ＳＤＷ１（λ）との差分と前記分光濃度ＳＤ２（λ）と前記分光濃度ＳＤＷ１（λ）との差分との積に比例する値を減算し、その結果を分光濃度ＳＤＭ１２（λ）として推定する請求項３に記載の色推定方法。
【請求項５】
前記推定して得られた分光濃度ＳＤＭ１２（λ）を表色系の値に変換する段階を、更に含む請求項１乃至請求項４のいずれかに記載の色推定方法。
【請求項６】
前記第１の色材は、顔料を含む複数の色材を刷り重ねて構成されたものであって、
前記他の色材が上に乗る状態を示す数値は、前記第１の色材を構成する最上に刷られた色材についてのものである請求項１乃至請求項５のいずれかに記載の色推定方法。
【請求項７】
顔料を含む複数の色材のそれぞれの網点画像を記録媒体上に刷り重ねて印刷して得られる網点画線部の色を目標の色として再現するように複数の基本色の出力強度を変化させて色調整を行う色調整方法であって、
前記複数の基本色の出力強度とＬ＊ａ＊ｂ＊表色系の値との間の対応関係を示す参照テーブルを予め格納する段階と、
前記色材についての透明度を示す数値及び色材が上に乗る状態を示す数値を示す数値テーブル予め格納する段階と、
前記刷り重ねにおいて下側となる第１の前記色材についての他の色材が上に乗る状態を示す数値、及び、前記刷り重ねにおいて上側となる第２の前記色材についての透明度を示す数値を前記数値テーブルから抽出する段階と、
前記第１の色材を前記記録媒体上に印刷したときの光の各波長λに対する分光濃度ＳＤ１（λ）を前記抽出した前記第２の色材についての透明度を示す数値で調整した値と、前記第２の色材を前記記録媒体上に印刷したときの光の各波長λに対する分光濃度ＳＤ２（λ）を前記抽出した前記第１の色材についての他の色材が上に乗る状態を示す数値で調整した値と、前記分光濃度ＳＤＷ１（λ）とを用いて演算し、その結果を前記記録媒体上の前記第１の色材の上に前記第２の色材を刷り重ねて印刷して得られる色の分光濃度ＳＤＭ１２（λ）として推定する推定段階と、
前記推定した分光濃度ＳＤＭ１２（λ）をＬ＊ａ＊ｂ＊表色系の値に変換する色変換段階と、
前記色変換により得られたＬ＊ａ＊ｂ＊表色系の値と前記参照テーブルとにより、前記目標となる色を再現するための前記複数の基本色の出力強度の組み合わせを求めカラーチャンネルテーブルを生成する生成段階と、を含み、
前記カラーチャンネルテーブルに基づいて、前記複数の基本色の出力強度を変化させて色調整を行うことを特徴とする色調整方法。
【請求項８】
前記推定段階は、更に、前記演算結果と前記分光濃度ＳＤ１（λ）と前記分光濃度ＳＤ２（λ）との積に比例する値とを用いて演算して分光濃度ＳＤＭ１２（λ）を推定する請求項７に記載の色調整方法。
【請求項９】
前記推定段階は、前記分光濃度ＳＤ１（λ）と前記分光濃度ＳＤＷ１（λ）との差分を前記第２の色材についての透明度を示す数値で調整した値と、前記分光濃度ＳＤ２（λ）と前記分光濃度ＳＤＷ１（λ）との差分を前記第１の色材についての色材が上に乗る状態を示す数値で調整した値と、前記分光濃度ＳＤＷ１（λ）とを加算し、その結果を前記記録媒体上の前記第１の色材の上に前記第２の色材を刷り重ねて印刷して得られる色の分光濃度ＳＤＭ１２（λ）として推定する請求項７に記載の色調整方法。
【請求項１０】
前記推定段階は、更に、前記加算結果から前記分光濃度ＳＤ１（λ）と前記分光濃度ＳＤＷ１（λ）との差分と前記分光濃度ＳＤ２（λ）と前記分光濃度ＳＤＷ１（λ）との差分との積に比例する値を減算し、その結果を分光濃度ＳＤＭ１２（λ）として推定する請求項９に記載の色調整方法。
【請求項１１】
前記第１の色材は、顔料を含む複数の色材を刷り重ねて構成されたものであって、
前記他の色材が上に乗る状態を示す数値は、前記第１の色材を構成する最上に刷られた色材についてのものである請求項７乃至請求項１０のいずれかに記載の色調整方法。
【請求項１２】
顔料を含む複数の色材のそれぞれの網点画像を記録媒体上に刷り重ねて印刷して得られる網点画線部の色を目標の色として複数の基本色の出力強度を変化させて再現しつつカラー画像を形成するカラー画像形成装置であって、
前記複数の基本色の出力強度とＬ＊ａ＊ｂ＊表色系の値との間の対応関係を示す参照テーブルと、
前記色材についての透明度を示す数値及び色材が上に乗る状態を示す数値を示す数値テーブルと、
前記刷り重ねにおいて下側となる第１の前記色材についての他の色材が上に乗る状態を示す数値、及び、前記刷り重ねにおいて上側となる第２の前記色材についての透明度を示す数値を前記数値テーブルから抽出する抽出手段と、
前記第１の色材を前記記録媒体上に印刷したときの光の各波長λに対する分光濃度ＳＤ１（λ）を前記抽出した前記第２の色材についての透明度を示す数値で調整した値と、前記第２の色材を前記記録媒体上に印刷したときの光の各波長λに対する分光濃度ＳＤ２（λ）を前記抽出した前記第１の色材についての色材が上に乗る状態を示す数値で調整した値と、前記分光濃度ＳＤＷ１（λ）とを用いて演算し、その結果を前記記録媒体上の前記第１の色材の上に前記第２の色材を刷り重ねて印刷して得られる色の分光濃度ＳＤＭ１２（λ）として求める演算手段と、
前記求めた分光濃度ＳＤＭ１２（λ）をＬ＊ａ＊ｂ＊表色系の値に変換する色変換手段と、
前記色変換手段により得られたＬ＊ａ＊ｂ＊表色系の値と前記参照テーブルとにより、前記目標となる色を再現するための前記複数の基本色の出力強度の組み合わせを求めカラーチャンネルテーブルを生成する生成手段と、
前記カラー画像を形成する際に、前記カラーチャンネルテーブルに基づいて、前記複数の基本色の出力強度を変化させるように制御する制御手段と、を有することを特徴とするカラー画像形成装置。
【発明の詳細な説明】
【技術分野】
【０００１】
本発明は、複数の色材を刷り重ねて印刷して得られる色を推定する色推定方法、その推定方法を用いる色調整方法及びその色調整方法を適用したカラー画像形成装置に関する。
【背景技術】
【０００２】
近年、ＤＴＰ（Ｄｅｓｋ  Ｔｏｐ  Ｐｕｂｌｉｓｈｉｎｇ）等の普及により、スキャナから入力した画像をコンピュータのソフトウエア上で画像編集、ページ面付けする作業が一般化し、フルデジタルでの編集も珍しくなくなってきている。
【０００３】
このような工程では、さらなる効率化を目指して、フィルムにページ編集済みの画像データを直接出力するイメージセッター出力や、印刷版に直接画像記録を行うＣＴＰ（Ｃｏｍｐｕｔｅｒ  ｔｏ  Ｐｌａｔｅ）出力、さらには、印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
また、このような印刷工程における校正のプロセスでは、（１）作業現場内部ミスの確認、すなわち内校、（２）発注主、デザイナーへの仕上がり確認用の提出される外校、（３）印刷機の機長に対して、最終印刷物の見本として提供される印刷見本、の主として３つの用途にプルーフが作成、使用される。
【０００５】
このように、カラー印刷を作成する際には、原稿フィルムの段階で色校正を行うことにより、Ｙ（イエロー）版、Ｍ（マゼンダ）版、Ｃ（シアン）版、及びＢＫ（墨色）版に分解された各色分解網原稿フィルムを使って校正物（カラープルーフ）を作成し、本番の印刷版を作成する前に、原稿フィルムのレイアウトに間違いないか、色間違いないか、文字の誤りがないか等を検査し、印刷物の仕上がりを事前に確認するようにしていた。
【０００６】
この場合、校正確認の為だけに一端フィルム出力や印刷版出力を行い、印刷校正や、その他の校正材料による校正を行うことは、フィルム、印刷版のムダや余計な作業が多くなる問題がある。
【０００７】
その為、特に、このようなコンピュータによるフルデジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）ないしはＤＣＰ（Ｄｉｇｉｔａｌ  Ｃｏｌｏｒ  Ｐｒｏｏｆ）と呼ばれる直接カラー画像出力を行うシステムが求められている。
【０００８】
このようなＤＤＣＰは、コンピュータ上で加工されたデジタル画像データからイメージセッターなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、コンピュータ上で加工されたデジタル画像が示す出力対象を再現するカラープルーフを作成し、その絵柄、色調、文章文字等の確認を行うものである。
【０００９】
また、カラープルーフを作成するものとして、各色分解網原稿の網点画像データに基づいて、銀塩カラー感光材料に、例えば、Ｒ、Ｇ、Ｂ等の波長の異なる複数の光の組み合わせからなる光点を露光して、３つの基本色Ｙ、Ｍ、Ｃの各ドットを発色させることで網点画像を再現してカラープルーフを作成するカラープルーフ作成装置がある。またその中に、印刷機の１次色（インキ単色）、インキを刷り重ねて得られる多次色（インキを重ね合わせた色）及び印刷用紙の地色を再現するように、１次色、多次色及び白の各々について３つの基本色の出力強度を変化させることで色調整し出力するタイプのＤＤＣＰがある（例えば、特許文献１。）。
【００１０】
ところが、上記色調整を行うためには、１次色、多次色を印刷機で出力し、その色及び印刷用紙の地色の表色系の値（例えば、Ｌ＊ａ＊ｂ＊表色系の値）を求める必要があった。そこで、印刷機で用いるインキが、Ｙ（イエロー），Ｍ（マゼンタ），Ｃ（シアン），Ｋ（墨色）の４色であれば、１次色（インキ単色）４通り、２次色（２色刷り重ね）６通り、３次色（３色刷り重ね）４通り、４次色（４色刷り重ね）１通り、及び印刷用紙の地色の計１６通りを出力し測定を行っていた。また、特色を用いる場合には、この１６通りのそれぞれに特色を重ねた色の１６通りについてさらに測定を行っていた。
【００１１】
しかしながら、特色というものは同じものが常時使用されるものではなく、印刷物ごとに異なる色の特色が使用されるので、その都度前述の１６通りに対して特色を重ねた色を測定する必要があり、多大な時間と労力を必要とする。
【００１２】
そこで、顔料を含むインキを刷り重ねて得られる色の表色系の値を、下側となる色及び上側となる色の色特性の値から推定する、例えば、下側となる色及び上側となる色の分光濃度から推定する色推定方法（特願２００３−０５５３６５）、また、下側となる色及び上側となる色のＬ＊ａ＊ｂ＊表色系の値とＬ＊ａ＊ｂ＊表色系の値を求めるために用いる分光特性とは異なる分光特性による濃度から推定する色推定方法（例えば、特願２００３−２９２８８９）を本出願人は提案している。
【００１３】
【特許文献１】特開２００３−１４９７９６号公報（段落〔０１１９〕−〔０１６８〕、第３図〜第５図）
【発明の開示】
【発明が解決しようとする課題】
【００１４】
しかしながら、上述の色推定方法においては、下側となるインキの状態の違いを考慮していないのでインキよっては、推定により求めた表色系の値と実際に得られる表色系の値とのずれ（色差）が許容を超える場合があり、推定の精度の向上が望まれていた。
【００１５】
本発明は、上記事情に鑑みてなされたものであり、その目的とするところは、刷り重ねて得られる色を下側となるインキに応じて上側となるインキの色特性の値を調整して求めることにより、精度よく色の推定を行うことができる色推定方法、その推定方法により推定した色を再現するための色調整方法、及び、その色調整方法を適用したカラー画像形成装置を提供することにある。
【課題を解決するための手段】
【００１６】
上記目的を達成するために、請求項１記載の発明は、記録媒体上に顔料を含む第１の色材を印刷し、その上に顔料を含む第２の色材を刷り重ねて印刷して得られる色を推定する色推定方法であって、前記記録媒体上における前記第１の色材の光の各波長λに対する分光濃度ＳＤ１（λ）を測定する段階と、前記記録媒体上における前記第２の色材の光の各波長λに対する分光濃度ＳＤ２（λ）を測定する段階と、前記記録媒体の光の各波長λに対する分光濃度ＳＤＷ１（λ）を測定する段階と、前記分光濃度ＳＤ１（λ）を前記第２の色材についての透明度を示す数値で調整した値と、前記分光濃度ＳＤ２（λ）を前記第１の色材についての他の色材が上に乗る状態を示す数値で調整した値と、前記分光濃度ＳＤＷ１（λ）とを用いて演算し、その結果を前記記録媒体上の前記第１の色材の上に前記第２の色材を刷り重ねて印刷して得られる色の分光濃度ＳＤＭ１２（λ）として推定する推定段階とを含むことを特徴としている。
【００１７】
また、請求項２記載の発明は、前記推定段階は、更に、前記演算結果と前記分光濃度ＳＤ１（λ）と前記分光濃度ＳＤ２（λ）との積に比例する値とを用いて演算して分光濃度ＳＤＭ１２（λ）を推定することを特徴としている。
【００１８】
また、請求項３記載の発明は、前記推定段階は、前記分光濃度ＳＤ１（λ）と前記分光濃度ＳＤＷ１（λ）との差分を前記第２の色材についての透明度を示す数値で調整した値と、前記分光濃度ＳＤ２（λ）と前記分光濃度ＳＤＷ１（λ）との差分を前記第１の色材についての色材が上に乗る状態を示す数値で調整した値と、前記分光濃度ＳＤＷ１（λ）とを加算し、その結果を前記記録媒体上の前記第１の色材の上に前記第２の色材を刷り重ねて印刷して得られる色の分光濃度ＳＤＭ１２（λ）として推定することを特徴としている。
【００１９】
また、請求項４記載の発明は、前記推定段階は、更に、前記加算結果から前記分光濃度ＳＤ１（λ）と前記分光濃度ＳＤＷ１（λ）との差分と前記分光濃度ＳＤ２（λ）と前記分光濃度ＳＤＷ１（λ）との差分との積に比例する値を減算し、その結果を分光濃度ＳＤＭ１２（λ）として推定することを特徴としている。
【００２０】
また、請求項５記載の発明は、前記推定して得られた分光濃度ＳＤＭ１２（λ）を表色系の値に変換する段階を、更に含むことを特徴としている。
【００２１】
また、請求項６記載の発明は、前記第１の色材は、顔料を含む複数の色材を刷り重ねて構成されたものであって、前記他の色材が上に乗る状態を示す数値は、前記第１の色材を構成する最上に刷られた色材についてのものであることを特徴としている。
【００２２】
また、請求項７記載の発明は、顔料を含む複数の色材のそれぞれの網点画像を記録媒体上に刷り重ねて印刷して得られる網点画線部の色を目標の色として再現するように複数の基本色の出力強度を変化させて色調整を行う色調整方法であって、前記複数の基本色の出力強度とＬ＊ａ＊ｂ＊表色系の値との間の対応関係を示す参照テーブルを予め格納する段階と、前記色材についての透明度を示す数値及び色材が上に乗る状態を示す数値を示す数値テーブル予め格納する段階と、前記刷り重ねにおいて下側となる第１の前記色材についての他の色材が上に乗る状態を示す数値、及び、前記刷り重ねにおいて上側となる第２の前記色材についての透明度を示す数値を前記数値テーブルから抽出する段階と、前記第１の色材を前記記録媒体上に印刷したときの光の各波長λに対する分光濃度ＳＤ１（λ）を前記抽出した前記第２の色材についての透明度を示す数値で調整した値と、前記第２の色材を前記記録媒体上に印刷したときの光の各波長λに対する分光濃度ＳＤ２（λ）を前記抽出した前記第１の色材についての他の色材が上に乗る状態を示す数値で調整した値と、前記分光濃度ＳＤＷ１（λ）とを用いて演算し、その結果を前記記録媒体上の前記第１の色材の上に前記第２の色材を刷り重ねて印刷して得られる色の分光濃度ＳＤＭ１２（λ）として推定する推定段階と、前記推定した分光濃度ＳＤＭ１２（λ）をＬ＊ａ＊ｂ＊表色系の値に変換する色変換段階と、前記色変換により得られたＬ＊ａ＊ｂ＊表色系の値と前記参照テーブルとにより、前記目標となる色を再現するための前記複数の基本色の出力強度の組み合わせを求めカラーチャンネルテーブルを生成する生成段階と、を含み、前記カラーチャンネルテーブルに基づいて、前記複数の基本色の出力強度を変化させて色調整を行うことを特徴としている。
【００２３】
また、請求項８記載の発明は、前記推定段階は、更に、前記演算結果と前記分光濃度ＳＤ１（λ）と前記分光濃度ＳＤ２（λ）との積に比例する値とを用いて演算して分光濃度ＳＤＭ１２（λ）を推定することを特徴としている。
【００２４】
また、請求項９記載の発明は、前記推定段階は、前記分光濃度ＳＤ１（λ）と前記分光濃度ＳＤＷ１（λ）との差分を前記第２の色材についての透明度を示す数値で調整した値と、前記分光濃度ＳＤ２（λ）と前記分光濃度ＳＤＷ１（λ）との差分を前記第１の色材についての色材が上に乗る状態を示す数値で調整した値と、前記分光濃度ＳＤＷ１（λ）とを加算し、その結果を前記記録媒体上の前記第１の色材の上に前記第２の色材を刷り重ねて印刷して得られる色の分光濃度ＳＤＭ１２（λ）として推定することを特徴としている。
【００２５】
また、請求項１０記載の発明は、前記推定段階は、更に、前記加算結果から前記分光濃度ＳＤ１（λ）と前記分光濃度ＳＤＷ１（λ）との差分と前記分光濃度ＳＤ２（λ）と前記分光濃度ＳＤＷ１（λ）との差分との積に比例する値を減算し、その結果を分光濃度ＳＤＭ１２（λ）として推定することを特徴としている。
【００２６】
また、請求項１１記載の発明は、前記第１の色材は、顔料を含む複数の色材を刷り重ねて構成されたものであって、前記他の色材が上に乗る状態を示す数値は、前記第１の色材を構成する最上に刷られた色材についてのものであることを特徴としている。
【００２７】
また、請求項１２記載の発明は、顔料を含む複数の色材のそれぞれの網点画像を記録媒体上に刷り重ねて印刷して得られる網点画線部の色を目標の色として複数の基本色の出力強度を変化させて再現しつつカラー画像を形成するカラー画像形成装置であって、前記複数の基本色の出力強度とＬ＊ａ＊ｂ＊表色系の値との間の対応関係を示す参照テーブルと、前記色材についての透明度を示す数値及び色材が上に乗る状態を示す数値を示す数値テーブルと、前記刷り重ねにおいて下側となる第１の前記色材についての他の色材が上に乗る状態を示す数値、及び、前記刷り重ねにおいて上側となる第２の前記色材についての透明度を示す数値を前記数値テーブルから抽出する抽出手段と、前記第１の色材を前記記録媒体上に印刷したときの光の各波長λに対する分光濃度ＳＤ１（λ）を前記抽出した前記第２の色材についての透明度を示す数値で調整した値と、前記第２の色材を前記記録媒体上に印刷したときの光の各波長λに対する分光濃度ＳＤ２（λ）を前記抽出した前記第１の色材についての色材が上に乗る状態を示す数値で調整した値と、前記分光濃度ＳＤＷ１（λ）とを用いて演算し、その結果を前記記録媒体上の前記第１の色材の上に前記第２の色材を刷り重ねて印刷して得られる色の分光濃度ＳＤＭ１２（λ）として求める演算手段と、前記求めた分光濃度ＳＤＭ１２（λ）をＬ＊ａ＊ｂ＊表色系の値に変換する色変換手段と、前記色変換手段により得られたＬ＊ａ＊ｂ＊表色系の値と前記参照テーブルとにより、前記目標となる色を再現するための前記複数の基本色の出力強度の組み合わせを求めカラーチャンネルテーブルを生成する生成手段と、前記カラー画像を形成する際に、前記カラーチャンネルテーブルに基づいて、前記複数の基本色の出力強度を変化させるように制御する制御手段と、を有することを特徴としている。
【発明の効果】
【００２８】
請求項１または請求項３に記載の色推定方法によれば、下側となる色材の分光濃度を上側の色材の透明度を示す値で調整し、上側となる色材の分光濃度を下側の色材の色材が上に乗る状態を示す数値で調整ことにより、刷り重ねて印刷して得られる色を高い精度で推定することができる。
【００２９】
請求項２または請求項４に記載の色推定方法によれば、下側となる色材自体の分光濃度または上側となる色材自体の分光濃度が比較的高い濃度を示す波長で、刷り重ねて印刷して得られる色の分光濃度を更に補正することにより、刷り重ねて印刷して得られる色を高い精度で推定することができる。
【００３０】
請求項５記載の色推定方法によれば、推定した得られた分光濃度から表色系の値を得ることができる。
【００３１】
請求項６記載の色推定方法によれば、下側となる色材が複数の色材が刷り重ねられたものでも高い精度で刷り重ねて印刷して得られる色を推定することができる。
【００３２】
請求項７または請求項９に記載の色調整方法によれば、下側となる色材の分光濃度を上側の色材の透明度を示す値で調整し、上側となる色材の分光濃度を下側の色材の色材が上に乗る状態を示す数値で調整ことにより、刷り重ねて印刷して得られる色を高い精度で推定し、その推定した色を目標として複数の基本色を用いて再現するように色調整を行うことができる。
【００３３】
請求項８または請求項１０に記載の色調整方法によれば、下側となる色材自体の分光濃度または上側となる色材自体の分光濃度が比較的高い濃度を示す波長で、刷り重ねて印刷して得られる色の分光濃度を更に補正することにより、刷り重ねて印刷して得られる色を高い精度で推定し、その推定した色を目標として複数の基本色を用いて再現するように色調整を行うことができる。
【００３４】
請求項１１記載の色調整方法によれば、下側となる色材が複数の色材が刷り重ねられたものでも高い精度で刷り重ねて印刷して得られる色を推定し、その推定した色を目標として複数の基本色を用いて再現するように色調整を行うことができる。
【００３５】
請求項１２記載のカラー画像形成装置によれば、下側となる色材の分光濃度を上側の色材の透明度を示す値で調整し、上側となる色材の分光濃度を下側の色材の色材が上に乗る状態を示す数値で調整ことにより、刷り重ねて印刷して得られる色を高い精度で推定し、その推定した色を目標として複数の基本色を用いて再現するように色調整を行うことができる。
【発明を実施するための最良の形態】
【００３６】
本発明は、記録媒体としての印刷用紙に複数のインキ（色材）を印刷（インキを刷り重ねて印刷したものを含む）し、その印刷したインキを測定して得られる色特性の値に基づいて、その測定したインキを刷り重ねて印刷して得られる色を推定するものである。特にインキが顔料を含む場合に好適に作用するものである。
【００３７】
また、色推定方法において測定して用いる色特性の値として、光の各波長λに対する透過濃度（以下、分光濃度と表記する。）を用いて行う方法について述べる。
【００３８】
ここで、分光濃度とは、例えば３８０ｎｍから７３０ｎｍの間で１０ｎｍ毎に波長を変えて反射率Ｒを測定し、その反射率Ｒから、
−０．５×ＬＯＧ１０（Ｒ）
の式により濃度に変換したものである。
【００３９】
また、Ｌ＊ａ＊ｂ＊表色系の値とは、色を表す表色系の値の１つであり、Ｌ＊軸、ａ＊軸、ｂ＊軸の３次元空間で色を表すもので、ａ＊ｂ＊平面により色あい及び彩度が表され、Ｌ＊はａ＊ｂ＊平面に直交し明度を表す色特性の値である。また、Ｌ＊ａ＊ｂ＊表色系の値は、人間の眼の感度に相当するものとしてＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ；国際照明委員会）で定められたｘ−ｂａｒ，ｙ−ｂａｒ、ｚ−ｂａｒの分光特性（所定の分光特性）で光量を積算して求めたＸＹＺ表色系の値に基づくものである。
【００４０】
以下、本発明の色推定方法、色調整方法を述べるにあたり、一例としてカラープルーフ作成装置（カラー画像形成装置）に適用した実施の形態を示し、図面を参照して具体的に説明する。
【００４１】
（カラープルーフ作成装置の制御構成）
まず、本実施の形態のカラープルーフ作成装置は、印刷機で複数のインキ（Ｃ（シアン）、Ｍ（マゼンタ）、Ｙ（イエロー）、Ｋ（ブラック）及び特色）のそれぞれの網点画像を刷り重ねして得られる網点画線部の色を目標の色とし、その目標とする色をカラープルーフ作成装置における複数の基本色（Ｙ、Ｍ、Ｃ、以下「Ｃ、Ｍ、Ｙ」、「ＹＭＣ」、「ＣＭＹ」と順序などを変えて記す場合もある。）の出力強度を変化させて再現しつつカラー画像を出力するものであり、本発明の色推定方法を用いた色調整方法を適用して好適なものである。
【００４２】
図１にカラープルーフ作成装置の機能ブロック図を示す。図１に示すように、本実施の形態のカラープルーフ作成装置は、制御部１、色演算部２、カラーチャンネル作成部３及び画像記録部４で構成される。さらに、各部の詳細を以下に述べる。
【００４３】
色演算部２は、色演算手段２１、色特性テーブル２２、係数テーブル２３（数値テーブル）、色テーブル２４及び入力手段２５からなる。
【００４４】
色特性テーブル２２は、印刷機で例えば印刷用紙にＣ，Ｍ，Ｙ，Ｋの各色のインキを用いて印刷した１次色、２次色、３次色、４次色（以下、まとめてＣＭＹＫ１／２／３／４次色と記す場合もある）、及び、印刷用紙の地色の各分光濃度が予め格納されている。
【００４５】
ここで、ＣＭＹＫ１／２／３／４次色について説明する。１次色とはＣＭＹＫの内の１つの色、２次色とはＣＭＹＫの内の２つを組み合わせた色、３次色とはＣＭＹＫの内の３つを組み合わせた色、４次色とはＣＭＹＫの内の４つを組み合わせた色で、１次色は、Ｃ、Ｍ、Ｙ、Ｋ、２次色は、Ｒ（Ｍ＋Ｙ）、Ｇ（Ｃ＋Ｙ）、Ｂ（Ｃ＋Ｍ）、Ｋ＋Ｃ、Ｋ＋Ｍ、Ｋ＋Ｙ、３次色は、Ｃ＋Ｍ＋Ｙ、ＫＲ（Ｋ＋Ｍ＋Ｙ）、ＫＧ（Ｋ＋Ｃ＋Ｙ）、ＫＢ（Ｋ＋Ｃ＋Ｍ）、４次色は、Ｃ＋Ｍ＋Ｙ＋Ｋで、計１５色となる。
【００４６】
さらに、図２に色特性テーブル２２の構成を示す。図２に示すように、上述の各色及び印刷用紙の地色の各分光濃度で構成されている。ただし、各数値の表記は省略した。
【００４７】
係数テーブル２３は、各インキ毎に透明度係数ａ及びトラッピング率係数ｂが例えば図３（ａ）に示すような構成で、補正係数ｃが例えば図３（ｂ）に示すように格納する格納手段である。透明度係数ａとは、インキの透明度を示す数値で、特色を刷り重ねた場合に、下側となる色の分光濃度を補正するための係数である。また、トラッピング率係数ｂとは、他のインキが乗りやすいか乗りにくいか、言い換えれば、他のインキが上に乗る状態を示す数値で、上側となる色の分光濃度を補正するための係数である。補正係数ｃとは、後述する色の推定で用いる式に含まれる補正項に用いる係数である。
【００４８】
また、インキが完全に透明ならば、透明度係数ａは「１」であり、完全に不透明ならば、透明度係数ａは「０」であるから、透明度係数ａは、０から１の間の定数である。また、トラッピング率係数ｂは、印刷用紙についての値を１とすれば、一般的に印刷用紙に比べ、インキに対する他のインキののりは落ちるものであるから、トラッピング率係数ｂは、０から１の間の定数でインキにより異なる。
【００４９】
入力手段２５は、例えば、印刷に使用されるインキ（Ｃ、Ｍ、Ｙ、Ｋ及び特色）や印刷用紙を指定して、カラープルーフの作成の指示を入力するためのものである。また、色特性テーブル２２に、上述のような各色とその分光濃度を入力するためのものであり、また、係数テーブル２３に各係数を入力するためのものである。また、例えば、測定器と接続するためのインターフェイスや、分光濃度の測定結果や各係数が入力されたＦＤ（Ｆｌｏｐｐｙ（登録商標）  Ｄｉｓｋ）等を出し入れ可能に装着する読取装置のようなものであってもよい。
【００５０】
また、色特性テーブル２２、係数テーブル２３は、例えば、カラープルーフ作成装置の内部に備えられたＨＤＤ（Ｈａｒｄ  Ｄｉｓｋ  Ｄｒｉｖｅ）等の記憶手段に当初から組み込まれているものでもよい。
【００５１】
色演算手段２１は、係数テーブル２３から各係数を抽出する本発明の抽出手段としての機能や、色特性テーブル２２に格納されている各分光濃度から刷り重ねて印刷して得られる色の分光濃度を演算して求める本発明の演算手段としての機能や、分光濃度をＬ＊ａ＊ｂ＊表色系の値に変換する本発明の色変換手段としての機能や、その求めたＬ＊ａ＊ｂ＊表色系の値を色テーブル２４に格納する機能を備える。詳細な演算方法は後述する。
【００５２】
色テーブル２４は、上述のＣＭＹＫ１／２／３／４次色、ＣＭＹＫ１／２／３／４次色の各々に特色を刷り重ねた色及び印刷用紙の地色のＬ＊ａ＊ｂ＊表色系の値を、図４に示すような構成で格納する。また、図４には上述のＣＭＹＫ１／２／３／４次色及び印刷用紙の地色（図中では、Ｗ（白）として表示）のＬ＊ａ＊ｂ＊表色系の値の一例を示し、特色に関する値は、特色により変化するので数値を示していない。
【００５３】
カラーチャンネル作成部３は、カラーチャンネル演算手段３１と、参照テーブル３２及びカラーチャンネルテーブル３３からなる。
【００５４】
参照テーブル３２は、画像記録部４における出力特性としてＬ＊ａ＊ｂ＊表色系の値に対応する各基本色の出力強度の組み合わせとの相関関係を定義したＬ＊ａ＊ｂ＊→ＣＭＹ  ＬＵＴを格納している。このＬ＊ａ＊ｂ＊→ＣＭＹ  ＬＵＴは、本出願人による特願２００３−０６４６２９号の明細書に記載されているように、画像記録部４（後述）のＣ，Ｍ，Ｙの出力強度を最小値０から最大値までの間で等分割してそれぞれの出力を組み合わせた複数のカラー画像を配置したカラーチャートを出力し、その複数のカラー画像のＬ＊ａ＊ｂ＊表色系の値を測色し、そのときのＣ，Ｍ，Ｙの出力強度の組み合わせとＬ＊ａ＊ｂ＊表色系の値とからＣＭＹ→Ｌ＊ａ＊ｂ＊  ＬＵＴを作成し、そのＣＭＹ→Ｌ＊ａ＊ｂ＊  ＬＵＴを用いてＬ＊（０〜１００）、ａ＊、（−１２７〜１２８）、ｂ＊（−１２７〜１２８）を等分割したそれぞれの組み合わせに対するＣ，Ｍ，Ｙの出力強度の組み合わせを収束演算処理をして求めることができる。
【００５５】
カラーチャンネル演算手段３１は、色テーブル２４に格納されているＬ＊ａ＊ｂ＊表色系の値と参照テーブル３２に格納されているＬ＊ａ＊ｂ＊→ＣＭＹ  ＬＵＴとに基づいてカラーチャンネルを生成する本発明の生成手段としての機能を有する。例えば、本出願人による特願２００３−０６４６２９号の明細書に記載されているように、Ｌ＊ａ＊ｂ＊→ＣＭＹ  ＬＵＴの入力点のＬ＊ａ＊ｂ＊で色テーブル２４に格納されているＬ＊ａ＊ｂ＊表色系の値のＬ＊ａ＊ｂ＊各値の近傍のＬ＊２点（Ｌ１、Ｌ２）、ａ＊２点（ａ１、ａ２）、ｂ＊２点（ｂ１、ｂ２）を組み合わせた８点についてのＣ，Ｍ，Ｙの出力強度と、Ｌ＊ａ＊ｂ＊表色系の値のＬ＊ａ＊ｂ＊各値の各入力点との距離とから、格納されているＬ＊ａ＊ｂ＊表色系の値に対するＣ，Ｍ，Ｙの出力強度の組み合わせを求めることができる。
【００５６】
また、本実施の形態では、参照テーブル３２としてＬ＊ａ＊ｂ＊→ＣＭＹ  ＬＵＴを格納するように説明したが、参照テーブル３２として各基本色の出力強度の組み合わせに対応するＬ＊ａ＊ｂ＊表色系の値との相関関係を定義したＣＭＹ→Ｌ＊ａ＊ｂ＊  ＬＵＴを格納しておいてもよい。その場合には、Ｌ＊ａ＊ｂ＊表色系の値を出力するためのＣＭＹの出力強度の組み合わせを求める際に、ＣＭＹ→Ｌ＊ａ＊ｂ＊  ＬＵＴからＬ＊ａ＊ｂ＊→ＣＭＹ  ＬＵＴを求めればよい。従って、本発明の「参照テーブル」としては、Ｌ＊ａ＊ｂ＊→ＣＭＹ  ＬＵＴやＣＭＹ→Ｌ＊ａ＊ｂ＊  ＬＵＴなど、複数の基本色の出力強度とＬ＊ａ＊ｂ＊表色系の値との間の対応関係を示すものであればよい。
【００５７】
カラーチャンネルテーブル３３は、上述のＣＭＹＫ１／２／３／４次色、ＣＭＹＫ１／２／３／４次色の各々に特色を刷り重ねた色及び印刷用紙の地色に対応する画像記録部４でのＣＭＹの出力強度の組み合わせを図５に示すような構成で格納する。また、図５には上述のＣＭＹＫ１／２／３／４次色及び白地（図中では、Ｗ（白）として表示）の出力強度の組み合わせの一例をＹの出力強度を最小値０から最大値１４０、Ｍ，Ｃの出力強度を最小値０から最大値１６０として示し、特色に関する値は、特色の種類に応じて異なるため図示は省略した。
【００５８】
画像記録部４は、赤色（Ｒ）光により感光材料のマゼンタ発色層（Ｍ層）を感光させ、緑色（Ｇ）光により感光材料のシアン発色層（Ｃ層）を感光させ、青色（Ｂ）光により感光材料のイエロー発色層（Ｙ層）を感光させ、現像処理を行い、基本色であるＹ、Ｍ、Ｃを顕在化して出力させ，カラー画像を形成する。この赤色（Ｒ）光、緑色（Ｇ）光、青色（Ｂ）光による感光は、点順次に画素毎にこれらの色の光を同時に照射して行う。
【００５９】
制御部１は、各部の制御を行う機能を有すると共に、本発明の制御手段としての機能を有し、画像データからＣ，Ｍ，Ｙ，Ｋ，特色の各インキ毎に分版された網点画像データに基づいて、画像記憶部４での各画素が出力すべき色が、上述のＣＭＹＫ１／２／３／４次色、ＣＭＹＫ１／２／３／４次色の各々に特色を刷り重ねた色、または、印刷用紙の地色のいずれであるかを求め、カラーチャンネルテーブル３３を参照してＣＭＹの出力強度の組み合わせを求め、画像記録部４で基本色であるＹ、Ｍ、Ｃの出力強度を変化させて出力するように、カラーチャンネルテーブル３３から求めたＹ、Ｍ、Ｃの出力強度データを、Ｂ、Ｒ、Ｇの露光出力強度データに変換し、画像記録部４の各色の光の強度を変化させるように制御する。このような機能を実現するために図示しないＣＰＵと、全体の制御を行うためのプログラム、Ｙ、Ｍ、Ｃの出力強度を変化させるプログラム、及び、各プログラムを実行するときに必要な各種データを記憶すると共に、各プログラムを実行するときのワークエリアを構成するシステムメモリ（図示せず）、を含んで構成される。
【００６０】
このようにして、カラープルーフ作成装置は、基本色Ｙ、Ｍ、Ｃの出力強度を変化させることにより、印刷機でＣ，Ｍ，Ｙ，Ｋ，特色の各インキの網点画像を刷り重ねて作成される色を再現してカラープルーフを作成する。
【００６１】
（色推定方法）
次に、本発明の色推定方法について述べる。説明をわかりやすくするために、まず、色推定方法の各ステップを説明し、さらに前記色推定方法を含む色調整方法をカラープルーフ作成装置に適用した例を後述する。
【００６２】
図６は、本発明の色推定方法の手順を示すフローチャートであり、図６を用いて本実施の形態の色推定方法について説明する。以下、各ステップを、例えば図６ステップＳ１１であれば省略してＳ１１と記すことにする。他のステップも同様である。
【００６３】
（Ｓ１１）
まず、刷り重ねるときに下側となるインキ（第１の色材）（以下、インキ１と記す）を印刷用紙（記録媒体）に印刷し、その印刷されたインキ１の色（以下、色１と記す）の分光濃度を測定する。ここで、色１の分光濃度をＳＤ１（λ）とする。また、このインキ１は、上述のＣ，Ｍ，Ｙ，Ｋの各色のインキを用いて印刷したＣＭＹＫ１／２／３／４次色のいずれかに相当する。また、分光濃度は上述の如く各波長における反射率を測定し、その反射率を変換して得られるものである。以下で行う分光濃度の測定も同様である。
【００６４】
（Ｓ１２）
次に、刷り重ねるときに上側となるインキ（第２の色材）（以下、インキ２と記す）を印刷用紙に印刷し、その印刷されたインキの色（以下、色２と記す）の分光濃度を測定する。ここで、色２の分光濃度をＳＤ２（λ）とする。このインキ２は、上述の特色のインキを用いて印刷したものに相当する。
【００６５】
（Ｓ１３）
さらに、印刷用紙の地色（以下、色Ｗ１と記す）の分光濃度を測定する。ここで、色Ｗ１の分光濃度をＳＤＷ１（λ）とする。
【００６６】
（Ｓ１４）
ここで、インキ１に対して設定されているトラッピング率係数ｂ１、インキ２に対して設定されている透明度係数ａ２、及び、補正係数ｃを取得する。ただし、インキ１が複数色の刷り重ねにより構成される場合には、最上のインキに対して設定されているトラッピング率係数とする。
【００６７】
（Ｓ１５）
そして、印刷用紙にインキ１にインキ２を刷り重ねて得られる色（以下、色Ｍ１２と記す）を推定する。ここで、色Ｍ１２の分光濃度をＳＤＭ１２（λ）としてＳＤＭ１２（λ）を、
ＳＤＭ１２（λ）＝ａ２×（ＳＤ１（λ）−ＳＤＷ１（λ））＋ｂ１×（ＳＤ２（λ）−ＳＤＷ１（λ））＋ＳＤＷ１（λ）−ｃ×ａ２×（ＳＤ１（λ）−ＳＤＷ１（λ））×ｂ１×（ＳＤ２（λ）−ＳＤＷ１（λ））
として求める。
【００６８】
第１項では、ＳＤ１（λ）をａ２により調整している。ａ２×（ＳＤ１（λ）−ＳＤＷ１（λ））は、インキ２を介して得られるインキ１自体の分光濃度を示す。つまり、ＳＤ１（λ）からＳＤＷ１（λ）を減算することにより、印刷用紙の分光濃度ＳＤＷ１（λ）を排除したインキ１自体の分光濃度が得られ、さらに、インキ２の透明度を透明度係数ａ２として掛けることにより、インキ２を介して得られるインキ１自体の分光濃度となっている。また、上述のようにインキ２が完全に透明ならば、透明度係数ａ２は「１」であり、完全に不透明ならば、透明度係数ａ２は「０」である。
【００６９】
第２項では、ＳＤ２（λ）をｂ１により調整している。ｂ１×（ＳＤ２（λ）−ＳＤＷ１（λ））は、インキ１上に重ねたときのインキ２自体の分光濃度を示す。つまり、ＳＤ２（λ）からＳＤＷ１（λ）を減算することにより、印刷用紙の分光濃度ＳＤＷ１（λ）を排除したインキ２自体の分光濃度が得られ、さらに、インキ１に設定されたトラッピング率係数ｂ１として掛けることにより、インキ１上に重ねたときのインキ２自体の分光濃度となる。また、上述したように、トラッピング率係数ｂは、０から１の間の定数であり、インキ１に応じて設定されている係数であるから、重ねたときのインキ２自体の分光濃度はインキ１に応じたものとなる。ただし、インキ１が複数色の刷り重ねにより構成される場合には、最上のインキに対して設定されているトラッピング率係数とするので、重ねたときのインキ２自体の分光濃度はインキ１の最上のインキに応じたものとなる。
【００７０】
第３項は、上記２項では印刷用紙の分光濃度ＳＤＷ１（λ）が排除されているので、分光濃度ＳＤＷ１（λ）を加算している。
【００７１】
第４項ｃ×ａ２×（ＳＤ１（λ）−ＳＤＷ１（λ））×ｂ１×（ＳＤ２（λ）−ＳＤＷ１（λ））は、補正値算出のための補正項であり、インキ１自体の分光濃度またはインキ２自体の分光濃度が比較的高い濃度を示す波長で、上述の３項の和により得られる分光濃度が測定値に比べ大きくなるために、インキ１自体の分光濃度またはインキ２自体の分光濃度が比較的高い濃度のときに減じる値を大きくして補正するようにａ２×（ＳＤ１（λ）−ＳＤＷ１（λ））とｂ１×（ＳＤ２（λ）−ＳＤＷ１（λ））との積に補正係数ｃとを掛けたものである。言い換えれば、ＳＤ１（λ）とＳＤ２（λ）との積に比例する値となっている。
【００７２】
また、ここで用いる各インキに設定された係数値ａ、ｂ、及び、ｃは、複数の刷り重ねた色について分光濃度ＳＤを測定し、その複数の刷り重ねた色についての測定による分光濃度と推定による分光濃度の差が最も小さくなるように予め求めておけばよい。
【００７３】
（Ｓ１６）
そして、推定により求めたインキ１にインキ２を刷り重ねて得られる色Ｍ１２の各分光濃度から、ＸＹＺ表色系やＬ＊ａ＊ｂ＊表色系等の表色系の値を以下のようにして求める。分光濃度から表色系の値を求める工程は、一般的に知られたものであるから概略のみ記述する。
【００７４】
初めに、ＸＹＺ表色系の値のＸ、Ｙ、Ｚを求める。まず、分光濃度ＳＤＭ１２（λ）から各波長の分光反射率ＲＭ１２（λ）
ＲＭ１２（λ）＝１０＾（−２×ＳＤＭ１２（λ））
（ただし、ａ＾ｂの表記は、ａのｂ乗を示す。）
の式により求め、Ｘは、ＲＭ１２（λ）にｘ（λ）を掛けた値を全波長（３８０ｎｍから７３０ｎｍ）について足し合わせて求め、Ｙは、ＲＭ１２（λ）にｙ（λ）を掛けた値を全波長（３８０ｎｍから７３０ｎｍ）について足し合わせて求め、Ｚは、ＲＭ１２（λ）にｚ（λ）を掛けた値を全波長（３８０ｎｍから７３０ｎｍ）について足し合わせて求める。このｘ（λ），ｙ（λ），ｚ（λ）は、ＣＩＥ（  Ｃｏｍｍｉｓｓｉｏｎ  Ｉｎｔｅｒｎａｔｉｏｎａｌｅ  ｄｅ  ｌ’Ｅｃｌａｉｒａｇｅ  （国際照明委員会））で定められているＣＩＥ１９３１  ＸＹＺ表色系等色関数ｘ（λ），ｙ（λ），ｚ（λ）（ＣＩＥ１９３１中では、このｘ，ｙ，ｚの上にはバー（−）が付けられている。）の値とＤ５０標準光源の値とを掛け合わせた値である。
【００７５】
そして、求めたＸＹＺ表色系の値のＸ、Ｙ、Ｚから、Ｌ＊ａ＊ｂ＊表色系の値のＬ＊値、ａ＊値、ｂ＊値を求める。まず、
Ｘｄ＝Ｘ／Ｘ０、Ｙｄ＝Ｙ／Ｙ０、Ｚｄ＝Ｚ／Ｚ０とする。ただし、Ｘ０、Ｙ０、Ｚ０は、それぞれｘ（λ），ｙ（λ），ｚ（λ）を全波長（３８０ｎｍから７３０ｎｍ）について足し合わせた値である。そして、
Ｘ２＝Ｘｄ＾（１／３）              ；Ｘｄ＞０．００８８５６の場合
＝Ｘｄ×７．７８７＋１６／１１６；それ以外の場合
Ｙ２＝Ｙｄ＾（１／３）              ；Ｙｄ＞０．００８８５６の場合
＝Ｙｄ×７．７８７＋１６／１１６；それ以外の場合
Ｚ２＝Ｚｄ＾（１／３）              ；Ｚｄ＞０．００８８５６の場合
＝Ｚｄ×７．７８７＋１６／１１６；それ以外の場合
と、Ｘ２、Ｙ２、Ｚ２を求め、
Ｌ＊＝Ｙ２×１１６−１６
ａ＊＝５００×（Ｘ２−Ｙ２）
ｂ＊＝２００×（Ｙ２−Ｚ２）
と、Ｌ＊値、ａ＊値、ｂ＊値で示されるＬ＊ａ＊ｂ＊表色系の値を求める。
【００７６】
（カラープルーフ作成装置における色調整方法）
次に、上述の色推定方法を含む色調整方法を適用した本実施の形態のカラープルーフ作成装置における処理の手順について図７に示すフローチャートを用いて説明する。ここで、透明度係数ａ、トラッピング率係数ｂ及び補正係数ｃは、係数テーブル２３に予め格納されている。また、印刷機で印刷用紙にＣ，Ｍ，Ｙ，Ｋの各色のインキを用いて印刷したＣＭＹＫ１／２／３／４次色及び印刷用紙の地色の分光濃度、印刷用紙に特色を印刷した色を予め測定し、色特性テーブル２２に格納しておく。
【００７７】
（Ｓ２１）
図７に示すように、まず、作業者が入力手段２５を用いて入力するカラープルーフの作成の指示、例えば、ＣＭＹＫと特色のインキで印刷する場合のカラープルーフの作成の指示を受け付ける。
【００７８】
（Ｓ２２）
その指示の入力を受けて、色演算手段２１は、色特性テーブル２２を参照し、印刷機で印刷用紙にＣ，Ｍ，Ｙ，Ｋの各色のインキを用いて印刷したＣＭＹＫ１／２／３／４次色（色１）及び印刷用紙の地色（色Ｗ１）の分光濃度ＳＤ１及びＳＤＷ１、印刷用紙に特色を印刷した色（色２）の分光濃度ＳＤ２を抽出する。また、これらの分光濃度は、入力手段２５から入力するようにして、色演算手段２１は、その入力された分光濃度を受け付けるように作用するものであってもよい。
【００７９】
（Ｓ２３）
さらに、色演算手段２１は、係数テーブル２３を参照しＣＭＹＫの各インキに設定されたトラッピング率係数ｂ、特色に設定された透明度係数ａ、及び、補正係数ｃを抽出する。
【００８０】
（Ｓ２４）
そして、色演算手段２１は、印刷用紙ＣにＣＭＹＫ１／２／３／４次色に特色を刷り重ねて印刷する場合のそれぞれの分光濃度ＳＤＭ１２を上述のようにして算出する。
【００８１】
例えば、１次色である単色に特色を刷り重ねる場合、Ｃに特色１を刷り重ねる場合を例にすれば、トラッピング率係数は、下側となるインキはＣであるから、図３（ａ）の係数テーブル２３のＣに設定されたトラッピング率係数〔０．７〕を、透明度係数は、上側となるインキは特色１であるから、図３（ａ）の係数テーブル２３の特色１に設定された透明度係数〔０．７〕を、図３（ｂ）より補正係数は〔０．７５〕を用いて分光濃度ＳＤＭ１２を算出する。
【００８２】
また、２／３／４次色に特色を刷り重ねる場合は、Ｂ（Ｃ＋Ｍ）に特色１を刷り重ねる場合を例にすれば、トラッピング率係数は、下側となるインキの最上のインキはＭであるから、図３（ａ）の係数テーブル２３のＭに設定されたトラッピング率係数〔０．９〕を、透明度係数は、上側となるインキは特色１であるから、図３（ａ）の係数テーブル２３の特色１に設定された透明度係数〔０．７〕を、補正係数は〔０．７５〕を用いて分光濃度ＳＤＭ１２を算出する。
【００８３】
（Ｓ２５）
さらに、各々の分光濃度ＳＤＭ１２（λ）から、各々の分光濃度を変換してＬ＊ａ＊ｂ＊表色系の値を求めて色テーブル２４に格納する。
【００８４】
（Ｓ２６）
次に、カラーチャンネル演算手段３１は、色テーブル２４に格納されたＬ＊ａ＊ｂ＊表色系の値と参照テーブル３２のＬ＊ａ＊ｂ＊→ＣＭＹ  ＬＵＴとから白地、ＣＭＹＫ１／２／３／４次色、特色と、ＣＭＹＫ１／２／３／４次色に特色を刷り重ねて得られる色の全てについて複数の基本色の出力強度の組み合わせを求めカラーチャンネルテーブル３３に格納する。
【００８５】
（Ｓ２７）
そして、制御部１は、カラーチャンネルテーブル３３を参照し、画像データに基づいて複数の基本色の出力強度の組み合わせを変化させるように画像記録部４を制御し、画像記録部４はその制御に従って画像形成を行う。
【００８６】
上述のように下側のインキのトラッピング率係数に応じて色推定を行い、カラー画像の色調整を行うことにより、印刷用紙にＣ，Ｍ，Ｙ，Ｋ，特色の各インキの網点画像を刷り重ねて作成される色を目標とし再現してカラープルーフを作成する場合に、下側のインキに応じ精度の高い色推定を行うことができる。
【００８７】
また、上述の色推定もしくはカラーチャンネルテーブル生成をＰＣ（Ｐｅｒｓｏｎａｌ  Ｃｏｍｐｕｔｅｒ）等の情報処理装置を用いて行い、その色推定結果もしくはカラーチャンネルテーブルをフロッピー（登録商標）ディスク等の媒体を介してカラープルーフ作成装置が取得し、カラー画像の形成に用いるようにすることも可能である。
【００８８】
また、ＰＣ等の情報処理装置とカラープルーフ作成装置とからなる画像出力システムにおいて、上述の色推定もしくはカラーチャンネルテーブル生成する機能をＰＣ等の情報処理装置に備え、その色推定結果もしくはカラーチャンネルテーブルをインターフェイスを介してカラープルーフ作成装置が取得し、カラー画像の形成に用いるようにすることも可能である。
【実施例】
【００８９】
次に、本発明の色推定方法を用いて、インキを刷り重ね印刷して得られる色の推定を行った具体的な一例を示す。本例では、マゼンタ（Ｍ）に特色２（赤）を刷り重ねるものを一例として示す。
【００９０】
まず、図８に、分光反射率Ｒの測定結果である印刷用紙の地色の分光反射率ＲＷ１（λ）、マゼンタ（Ｍ）の分光反射率Ｒ１（λ）及び特色２（赤）の分光反射率Ｒ２（λ）を示した。また、推定して得られる色と実際に刷り重ねて得られる色との後述の分光濃度の比較のため実際にマゼンタ（Ｍ）に特色２（赤）を刷り重ねて印刷用紙に印刷し測定した結果を分光反射率ＲＴ１２（λ）として併記した。なお、図８には、３８０ｎｍから７３０ｎｍの間の１０ｎｍ刻みの波長について測定した結果を示した。
【００９１】
次に、分光反射率Ｒから分光濃度ＳＤを
ＳＤ＝−０．５×ＬＯＧ１０（Ｒ）
の式により、印刷用紙の地色の分光濃度ＳＤＷ１（λ）、マゼンタ（Ｍ）の分光濃度ＳＤ１（λ）及び特色２（赤）の分光濃度ＳＤ２（λ）を求め、さらに、マゼンタ（Ｍ）に特色２（赤）を刷り重ねて得られる色の分光濃度ＳＤＭ１２（λ）を、
ＳＤＭ１２（λ）＝ａ２×（ＳＤ１（λ）−ＳＤＷ１（λ））＋ｂ１×（ＳＤ２（λ）−ＳＤＷ１（λ））＋ＳＤＷ１（λ）−ｃ×ａ２×（ＳＤ１（λ）−ＳＤＷ１（λ））×ｂ１×（ＳＤ２（λ）−ＳＤＷ１（λ））
の式により各波長について演算する。この時、透明度係数ａ２は、図３（ａ）より特色２の透明度係数０．８を、トラッピング率係数ｂ１は、図３（ａ）よりマゼンタ（Ｍ）のトラッピング率係数０．９を、補正係数ｃは、図３（ｂ）より０．７５とする。
【００９２】
また、印刷用紙の地色の分光濃度ＳＤＷ１（λ）、マゼンタ（Ｍ）の分光濃度ＳＤ１（λ）、特色（赤）の分光濃度ＳＤ２（λ）及びマゼンタ（Ｍ）に特色（赤）を推定により刷り重ねて得られる色の分光濃度ＳＤＭ１２（λ）を図９に示した。また、図９には、推定して得られる色と実際に刷り重ねて得られる色との比較のため分光反射率ＲＴ１２（λ）から求めた分光濃度ＳＤＴ１２（λ）を求め併記した。さらに、図９には、トラッピング率係数の効果を明らかにするために、マゼンタ（Ｍ）のトラッピング率係数に代えてイエロー（Ｙ）に設定されたトラッピング率係数〔０．８〕を用いて計算した分光濃度を、ＳＤＭ´１２（λ）として、分光濃度ＳＤＭ´１２（λ）を各波長について演算した結果を併記した。
【００９３】
さらに、図１０に分光濃度ＳＤ１（λ）、ＳＤ２（λ）及び分光濃度ＳＤＭ１２（λ）と、さらに分光濃度ＳＤＴ１２（λ）と分光濃度ＳＤＭ´１２（λ）の各々をグラフにして示した。図１０では、分光濃度ＳＤＭ１２（λ）、分光濃度ＳＤＴ１２（λ）及び分光濃度ＳＤＭ´１２（λ）のグラフはほぼ近いものとなっているが、以下に表色系の値に変換し、表色系の値でもって比較をする。
【００９４】
分光濃度から表色系の値を求める工程は、一般的に知られたものであるから概略のみを分光濃度ＳＤＭ１２（λ）の場合を例に記述する。
【００９５】
初めに、ＸＹＺ表色系のＸ、Ｙ、Ｚを求める。まず、分光濃度ＳＤＭ１２（λ）から各波長の分光反射率ＲＭ１２（λ）
ＲＭ１２（λ）＝１０＾（−２×ＳＤＭ１２（λ））
（ただし、ａ＾ｂの表記は、ａのｂ乗を示す。）
の式により求め、Ｘは、ＲＭ１２（λ）にｘ（λ）を掛けた値を全波長（３８０ｎｍから７３０ｎｍ）について足し合わせて求め、Ｙは、ＲＭ１２（λ）にｙ（λ）を掛けた値を全波長（３８０ｎｍから７３０ｎｍ）について足し合わせて求め、Ｚは、ＲＭ１２（λ）にｚ（λ）を掛けた値を全波長（３８０ｎｍから７３０ｎｍ）について足し合わせて求める。このｘ（λ），ｙ（λ），ｚ（λ）は、ＣＩＥ（  Ｃｏｍｍｉｓｓｉｏｎ  Ｉｎｔｅｒｎａｔｉｏｎａｌｅ  ｄｅ  ｌ’Ｅｃｌａｉｒａｇｅ  （国際照明委員会））で定められているＣＩＥ１９３１  ＸＹＺ表色系等色関数ｘ（λ），ｙ（λ），ｚ（λ）（ＣＩＥ１９３１中では、このｘ，ｙ，ｚの上にはバー（−）が付けられている。）の値とＤ５０標準光源の値とを掛け合わせた値である。このようにして、Ｘ、Ｙ、Ｚが、
（Ｘ、Ｙ、Ｚ）＝（２７．５１９１６９７１、１３．６１７１５００９、３．０３５５７０９７２）
と求まる。
【００９６】
さらに、Ｘ、Ｙ、Ｚから、Ｌ＊ａ＊ｂ＊表色系の値Ｌ＊値、ａ＊値、ｂ＊値を求める。まず、Ｘｄ、Ｙｄ、Ｚｄを求める。そして、
Ｘ２＝Ｘｄ＾（１／３）              ；Ｘｄ＞０．００８８５６の場合
＝Ｘｄ×７．７８７＋１６／１１６；それ以外の場合
Ｙ２＝Ｙｄ＾（１／３）              ；Ｙｄ＞０．００８８５６の場合
＝Ｙｄ×７．７８７＋１６／１１６；それ以外の場合
Ｚ２＝Ｚｄ＾（１／３）              ；Ｚｄ＞０．００８８５６の場合
＝Ｚｄ×７．７８７＋１６／１１６；それ以外の場合
と、Ｘ２、Ｙ２、Ｚ２を求め、
Ｌ＊＝Ｙ２×１１６−１６
ａ＊＝５００×（Ｘ２−Ｙ２）
ｂ＊＝２００×（Ｙ２−Ｚ２）
と求めることができる。
【００９７】
上述のようにして図９に示す分光濃度ＳＤＭ１２（λ）及び実測して得られたＳＤＴ１２（λ）から、それぞれのＬ＊値、ａ＊値、ｂ＊値をＬＭ＊、ａＭ＊、ｂＭ＊及びＬＴ＊、ａＴ＊、ｂＴ＊として求めると、
（ＬＭ＊、ａＭ＊、ｂＭ＊）＝（４３．６７９９９１１７、７１．９６９７２００９、３６．３８０３６７４７）、
（ＬＴ＊、ａＴ＊、ｂＴ＊）＝（４４．６６５４４３６８、７２．０９２５８９９７、３７．９６１７５６８６）
が得られる。その色差ΔＥは、
ΔＥ＝（（ＬＭ＊−ＬＴ＊）＾２＋（ａＭ＊−ａＴ＊）＾２＋（ｂＭ＊−ｂＴ＊）＾２）＾（１／２）＝１．８６７３５２６９１
となり、十分小さなものになっており、精度良く色の推定がなされていることがわかる。
【００９８】
一方、分光濃度ＳＤＭ´１２（λ）から同様にＬ＊ａ＊ｂ＊表色系の値ＬＭ´＊、ａＭ´＊、ｂＭ´＊を求めると、
（ＬＭ´＊、ａＭ´＊、ｂＭ´＊）＝（４４．０８９７１８３、７１．６４０４０８２５、３２．３０００１０３４）
となり、同様にＳＤＴ１２（λ）から求めたＬ＊ａ＊ｂ＊表色系の値との色差を求めると、
ΔＥ＝５．７０８８７９１９６
となり、マゼンタに設定したトラッピング率係数を用いた方が、色差が小さく精度よく色の推定がなされていることがわかる。
【００９９】
なお、本実施の形態は、本出願人が特願２００３−２９２８８９で提案したようなインキ１、インキ２及び印刷用紙のＬ＊ａ＊ｂ＊表色系の値と、Ｌ＊ａ＊ｂ＊表色系の値の分光特性とは異なる分光特性による濃度を測定し、刷り重ねた色のＸＹＺ表色系の値のうちの少なくとも１つの値についてはＬ＊ａ＊ｂ＊表色系の値及び異なる分光特性による濃度を用いて求める場合にも、トラッピング率係数ｂは下側になるインキに設定されたトラッピング率係数ｂを用いて行うことが可能である。
【図面の簡単な説明】
【０１００】
【図１】本発明に係るカラープルーフ作成装置の構成を示す機能ブロック図である。
【図２】本実施の形態の色特性テーブルの構成の一例を示す説明図である。
【図３】本実施の形態の係数テーブルの構成の一例を示す説明図である。
【図４】本実施の形態の色テーブルの構成の一例を示す説明図である。
【図５】本実施の形態のカラーチャンネルテーブルの構成の一例を示す説明図である。
【図６】本発明の色推定方法の手順を示すフローチャートである。
【図７】本発明の色推定方法を適用したカラープルーフ作成装置における処理手順を示すフローチャートである。
【図８】印刷用紙の地色の分光反射率ＲＷ（λ）、マゼンタ（Ｍ）の分光反射率Ｒ１（λ）及び特色（赤）の分光反射率Ｒ２（λ）の測定結果を示す図である。
【図９】マゼンタ（Ｍ）の分光濃度ＳＤ１（λ）、特色（赤）の分光濃度ＳＤ２（λ）、マゼンタに設定されたトラッピング率係数を用いて得られる分光濃度ＳＤＭ１２（λ）、実測に基づく分光濃度ＳＤＴ１２（λ）、及び、イエローに設定されたトラッピング率係数を用いて得られる分光濃度ＳＤＭ´１２（λ）を示す図である。
【図１０】マゼンタ（Ｍ）の分光濃度ＳＤ１（λ）、特色（赤）の分光濃度ＳＤ２（λ）、マゼンタに設定されたトラッピング率係数を用いて得られる分光濃度ＳＤＭ１２（λ）、実測に基づく分光濃度ＳＤＴ１２（λ）、及び、イエローに設定されたトラッピング率係数を用いて得られる分光濃度ＳＤＭ´１２（λ）を示すグラフである。
【符号の説明】
【０１０１】
１  制御部
２  色演算部
２１  色演算手段
２２  色特性テーブル
２３  係数テーブル
２４  色テーブル
２５  入力手段
３  カラーチャンネル作成部
３１  カラーチャンネル演算手段
３２  参照テーブル
３３  カラーチャンネルテーブル
４  画像記録部
【図１】
2005294976.tif 000003
【図２】
2005294976.tif 000004
【図３】
2005294976.tif 000005
【図４】
2005294976.tif 000006
【図５】
2005294976.tif 000007
【図６】
2005294976.tif 000008
【図７】
2005294976.tif 000009
【図８】
2005294976.tif 000010
【図９】
2005294976.tif 000011
【図１０】
2005294976.tif 000012